(57)【要約】【課題】遠近両用眼鏡に於いて、遠方及び手近の物を見るとき、その都度毎に目線を上下したり眼球に対する眼鏡のレンズの位置を変える事なく、常に正面で対象を見る事ができる、眼鏡フレームを提供する。【解決手段】近視用の二つの単焦点距離レンズを固定したレンズフレームの挿入軸を、支持フレームのテンプルに設けた溝に挿入し、レンズフレームは挿入軸が溝の中で、爪と係止部が接触する範囲で支持フレームに対し前後に可動する。そしてレンズフレームに設けた蝶番Ａと支持フレームに設けた蝶番Ｂを同形状とし、更に同一線上に並ぶ位置に可動させることで、既存の眼鏡と同じように畳める事を可能とした。以上を特徴とした眼鏡フレーム。【選択図】図１
2012003215.tif 000002
【特許請求の範囲】
【請求項１】
近視用の二つの単焦点距離レンズを固定したレンズフレームに、蝶番Ａと挿入軸を設け、挿入軸に爪を設け、支持フレームには蝶番Ｂとテンプルを設け、テンプルには溝と係止部を設け、レンズフレームは挿入軸が溝の中で、爪と係止部が接触する範囲で支持フレームに対し前後に可動し、更に蝶番Ａと蝶番Ｂを同形状で設け、更に同一線上に並ぶ位置に可動させることで、眼鏡フレームが折り畳める事を特徴とした眼鏡フレーム。
【発明の詳細な説明】
【技術分野】
【０００１】  本発明は、単焦点距離レンズを用いた遠近両用眼鏡の眼鏡フレームに関するものである。
【背景技術】
【０００２】  従来、遠近両用眼鏡といえば多焦点距離レンズを用いたものが一般的である。これは、レンズの大部分の面を近視用レンズとし、レンズの下部の一部を遠視用レンズにしたものである。
【先行技術文献】
【０００３】
【特許文献１】特開平１０−０１０４７４号公報
【特許文献２】特開２００９−１４５８５１号公報
【発明の概要】
【発明が解決しようとする課題】
【０００４】  多焦点距離レンズを用いた従来の遠近両用眼鏡では、書類等を読むときには、目線を下にするか、眼鏡を持ち上げて近視用レンズを眼球の正面にせざるを得ず、前者の場合は長時間その状態でいると極度の疲労をまねき、後者の場合では見る対象毎に眼鏡の位置を変える煩わしさがある。この事は、例えばパソコンのモニターと手元の書類を見比べながらの作業等にとって効率性、正確性及び健康上有害である。また人によっては体質上、従来の多焦点距離レンズを用いた遠近両用眼鏡を掛けているだけで、頭痛が起き通常の生活に支障を来す場合がある。
本発明は、これらの問題点を解決するためになされたものである。
【課題を解決するための手段】
【０００５】  近視用の二つの単焦点距離レンズを固定したレンズフレームに、蝶番Ａと挿入軸を設け、挿入軸に爪を設ける。支持フレームには蝶番Ｂとテンプルを設け、テンプルには溝と係止部を設ける。レンズフレームは挿入軸が溝の中で、爪と係止部が接触する範囲で支持フレームに対し前後に可動する。
蝶番Ａと蝶番Ｂを同形状で設け、更に同一線上に並ぶ位置に可動させることで、眼鏡フレームが折り畳める。
以上を特徴とする眼鏡フレームである。
【発明の効果】
【０００６】  見る対象の距離や大きさの違い毎に眼鏡をずりあげたり目線を下げたりする事なく、常に正面で物を見る事ができ、しかも同じ眼鏡で歩いたり自動車等の運転もできるため、きわめて便利で経済的である。
【図面の簡単な説明】
【０００７】
【図１】本発明の遠近両用眼鏡としての実施例を示す斜視図である。
【図２】本発明の支持フレームとレンズフレームを分解した斜視図である。
【図３】図４のＡ−Ａ線の断面図である。
【図４】本発明の近眼用眼鏡としての実施例を示す斜視図である。
【図５】本発明を折り畳んだ実施例を示す斜視図である。
【図６】図１の側面図である。
【発明を実施するための形態】
【０００８】  先に本発明の論拠となる原理を説明する。近視用眼鏡を掛けている近視者が加齢等で老眼になり、若い頃のままの距離感で書類を見ると文字がぼやけて読みにくくなる。そこで眼鏡を外し、書類に裸眼の目を近づければ文字が明瞭に見えるようになる。このことは遠方視力が弱い状態であれば近距離の物が明瞭に見えるという事である。
次に、近視者にとって遠方視力は、近視用レンズと眼球の間の距離を広げると、その距離の広がりに応じて徐々に弱くなる。すなはち適正に眼鏡をかけた状態に比べて、近視用レンズと目の間の距離を広げると、遠方視力は若干落ちるが反比例して近距離に関しては見えやすくなる。
以上をふまえ、本発明は近視用レンズと眼球の間の距離を可変することで視力を補正する機構を持たせた眼鏡フレームである。
以下、本発明の実施の形態を図面に基づいて説明する。
（イ）図２のレンズフレーム（１）は、近視用の二つの単焦点距離レンズ（１１）を中央のブリッジ（１２）で固定したリム（１３）に嵌め込み、それぞれのリム（１３）の外側によろいＡ（１４）を設け、蝶番Ａ（１５）で直軸状の挿入軸（１６）を連結する。
（ロ）挿入軸（１６）の末端には外方向に突出した凸部を有する爪（１７）を設ける。そして挿入軸（１６）は図３の断面図で示すように台形の形状である。
（ハ）レンズフレーム（１）に於けるブリッジ（１２）、リム（１３）、よろいＡ（１４）で構成した一連の部品は可撓性の性質を持っている。これは、挿入軸（１６）を後述する溝（２７）内で任意の位置に挟持するためで、力の向きは内側であり、図１及び図４で示す本発明の使用時には顔を挟む向きで力がかかる。
（ニ）図２の支持フレーム（２）の前枠（２２）は上記（イ）に記した二つのリム（１３）とブリッジ（１２）からなる部品とぴったりと合う形状をなし、中央に鼻当て用のパッド（２３）を二つ設ける。前枠（２２）の両側にはよろいＢ（２４）を設け、蝶番Ｂ（２５）でテンプル（２６）を連結する。
（ホ）テンプル（２６）には長手方向に横長状の溝（２７）を設ける。溝（２７）は挿入軸（１６）に対応する形状で図３の断面図で示すように、台形の挿入軸（１６）に合わせて開口面を狭める。そして、テンプル（２６）の一端に係止部（２８）を設ける。
（ヘ）蝶番Ａ（１５）と蝶番Ｂ（２５）は同じ形状であり、更に図４の様にレンズフレーム（１１）を支持フレーム（２）に引き戻した状態に於いては、蝶番Ａ（１５）と蝶番Ｂ（２５）は同一線上に並ぶ。
本発明は以上のような構成である。以下に使用法を記す。
（ト）図４は通常の近視用眼鏡としての使用状態であり、歩行や自動車の運転などは  この状態で使用する。上記（ハ）に記した可撓性により、レンズフレーム（１）は支持フレーム（２）内に於いて固定されている。
（チ）図１は遠近両用眼鏡としての使用状態である。挿入軸（１６）の爪（１７）がテンプル（２６）の係止部（２８）に突き当たるまで前方にずらすことで、単焦点距離レンズ（１１）と眼球の間の距離を広げる。この操作は使用者が上記（ト）の状態で顔に眼鏡を掛けたままする事が可能である。
（リ）そして図１の遠近両用眼鏡として使用する状態で、顔に装着した支持フレーム（２）の位置は、図４の近視用眼鏡としての使用時と同じである。そして、上記（ハ）に記した可撓性により、レンズフレーム（１）は支持フレーム（２）と距離を広げた状態で固定されている。
（ヌ）蝶番Ａと蝶番Ｂを同形状で設け、更に図４に示したように同一線上に並ぶ位置に可動させることで、眼鏡フレームは折り畳む事が可能である。
【符号の説明】
【０００９】  １    レンズフレーム
１１  単焦点距離レンズ
１２  ブリッジ
１３  リム
１４  よろい
１５  蝶番Ａ
１６  挿入軸
１７  爪
２    支持フレーム
２２  前枠
２３  パッド
２４  よろいＢ
２５  蝶番Ｂ
２６  テンプル
２７  溝
２８  係止部
【図１】
2012003215.tif 000003
【図２】
2012003215.tif 000004
【図３】
2012003215.tif 000005
【図４】
2012003215.tif 000006
【図５】
2012003215.tif 000007
【図６】
2012003215.tif 000008